【手続補正書】
【提出日】平成18年10月5日(2006.10.5)
【手続補正１】
【補正対象書類名】明細書
【補正対象項目名】全文
【補正方法】変更
【補正の内容】
【書類名】      明細書【発明の名称】  遊技機【特許請求の範囲】【請求項１】 開閉可能な制御ボックスと、 ねじ山が形成されたねじ部を有する金属製のねじ部材と、 そのねじ部材のねじ部に螺合するねじ部を有する金属製の螺合部材とを備え、 前記の両ねじ部の締め込み量の増加に伴って前記ねじ部材の一部分が変形して前記制御ボックスを開放不能に封止し、その封止状態より前記制御ボックスを開放するには制御ボックスの所定の部位を破断することを必要とする遊技機であって、 前記ねじ部材の一端部には前記ねじ部の締め込み量の増加により屈曲される略筒状の被屈曲部が設けられると共に、前記ねじ部材の一端部に当接して前記被屈曲部を径方向外方へ屈曲させる金属製の屈曲部が設けられていることを特徴とする遊技機。【請求項２】 前記ねじ部材の一端部に形成された上記被屈曲部には、前記ねじ部材の締め込み移動方向に沿って形成された切り欠き溝が設けられていることを特徴とする請求項１記載の遊技機。【発明の詳細な説明】【技術分野】      【０００１】  本発明は、制御ボックスの開口部位に開口部位封止構造を採用した遊技機に関する。【背景技術】      【０００２】  パチンコ機などの遊技機においては、制御部などに不正な改造が施されることを防止するため、開閉可能な制御ボックスを容易には開閉できないように開口部位封止構造が採用されている。  従来、この種の開口部位封止構造として、図２５と図２６に示すものが知られている。      【０００３】  同図において、樹脂製の蓋体１と筺体本体２とからなる筺体が制御ボックスである。  制御ボックスにおける開口縁部には四ヶ所に開口部位封止構造が形成されている。開口部位封止構造は蓋体１の側の突出片１ａと、筺体本体２の側のナット保持部２ａとから構成されている。  図２６に示すように、突出片１ａにはネジ３を貫通させる貫通穴１ａ１が形成されている。  このネジ３の軸部は、先端にのみ雄ネジ部３ｂが形成されており、その途中には雄ネジを形成していない延長部３ａとなっている。  一方、ナット保持部２ａには内周面に雌ネジ部４ａを形成した筒状のインサートナット４が嵌入されており、このインサートナット４の長さは概ね前記延長部３ａよりも僅かに短めとしてあるとともに、インサートナット４のさらに奥側にはドーナツ状の板バネ部材５が挿入されている。      【０００４】  前記構成において、筺体本体２に蓋体１を位置合わせし、前記突出片１ａと前記ナット保持部２ａとが重なり合ったら、突出片１ａの貫通穴１ａ１に対してネジ３を挿入していき、前記インサートナット４に螺合させる。  ネジ３を回転していくと、雄ネジ部３ｂはインサートナット４の雌ネジ部４ａに螺合していくが、ネジ３には延長部３ａが形成してあるので、ある時点で同雄ネジ部３ｂはインサートナット４を貫通する。  また、貫通した時点で雄ネジ部３ｂは板バネ部材５をも貫通し、同板バネ部材５にて奥方向に付勢される。そして、貫通直後の状態が筺体本体２と蓋体１とが密閉された状態となる。      【０００５】  この後、筺体本体２から蓋体１を外そうとして、ネジ３を逆方向に回転させても、雄ネジ部３ｂは板バネ部材５にて奥方向に付勢されているのでインサートナット４の雌ネジ部４ａに螺合しない���  このため、ネジ３を外すことはできず、筺体本体２から蓋体１を外すことはできない。必要に応じて開口する唯一の手法は、樹脂製の突出片１ａとナット保持部２ａのいずれかあるいは両方を破断させることである。  図示した制御ボックスの場合、四対の開口部位封止構造が備えられており、メインテナンスの必要で開口しなければならない場合に対応している。【発明の開示】【発明が解決しようとする課題】      【０００６】  上述した従来の開口部位封止構造においては、ナット保持部の裏側が樹脂製の壁材しか配置されておらず、この部位を破壊してネジ３を手前側に付勢しつつ逆回転させると、ネジ３を外せる可能性があった。この場合、裏側だけを破壊するので前面からは破壊されていることが容易に分からず、長期にわたって不正を発見できないことがあった。      【０００７】  本発明は、前記課題にかんがみてなされたもので、不正な改造を施しにくくすることが可能な遊技機の提供を目的とする。【課題を解決するための手段】      【０００８】  前記目的を達成するため、請求項１にかかる発明は、開閉可能な制御ボックスと、ねじ山が形成されたねじ部を有する金属製のねじ部材と、そのねじ部材のねじ部に螺合するねじ部を有する金属製の螺合部材とを備え、前記の両ねじ部の締め込み量の増加に伴って前記ねじ部材の一部分が変形して前記制御ボックスを開放不能に封止し、その封止状態より前記制御ボックスを開放するには制御ボックスの所定の部位を破断することを必要とする遊技機であって、前記ねじ部材の一端部には前記ねじ部の締め込み量の増加により屈曲される略筒状の被屈曲部が設けられると共に、前記ねじ部材の一端部に当接して前記被屈曲部を径方向外方へ屈曲させる金属製の屈曲部が設けられている。      【０００９】  前記のように構成した請求項１にかかる発明においては、ねじ部材の一端部には略筒状の被屈曲部が設けられると共に、ねじ部材の一端部に当接して被屈曲部を径方向外方へ屈曲させる金属製の屈曲部が設けられている。  従って、ねじ部材を螺合していくと、当該ねじ部材の一端部に形成した被屈曲部は同屈曲部に突き当たり、さらに螺合していくと径方向外方へ屈曲される。  これにより、以後、ねじ部材を螺合部材に対して逆方向に回転させようとしても被屈曲部が邪魔になってねじ部材を取り外すことができないので、制御ボックスの封止状態が維持される。      【００１０】  また、かかる封止状態を、制御ボックスの所定の部位を破断することなく解除するためには被屈曲部を戻したり切除する必要があるが、螺合部材の奥側には金属製の屈曲部が配置されている。  従って、裏側の樹脂壁を破損することはできても、この金属製の屈曲部は容易には破損できず、無理に破損させようとすれば周囲の部分にも影響を及ぼす大規模な破損となるので、実質的に不正は困難となる。      【発明の効果】      【００１１】  以上説明したように本発明は、ねじ部材の締め込みによって金属製の屈曲部が被屈曲部を屈曲させる構成とすることにより、不正を防止しやすくすることが可能な遊技機を提供することができる。      【００１２】    【発明の実施の形態】  以下、図面にもとづいて本発明の実施形態を説明する。  図１は、本発明の一実施形態にかか���開口部位封止構造を概略断面図により示している。  同図において、蓋体の突出片１０にはネジ穴１１を形成してあり、同ネジ穴１１の周辺は円形の凹部１２が形成され、さらに、当該凹部１２の周縁から円筒状の壁部１３を立設してある。  一方、筺体のナット保持部２０は段階的に開口部が狭くなるように形成してあり、以後、参照の便宜のため、最も開口径の大きい第一開口部２１と、中間の径の第二開口部２２と、最奥部の第三開口部２３と呼ぶ。      【００１３】  図２は、ネジ３０を一部破断図により示している。ネジ３０の頭部３１には、図３に示すようなプラスのワンウェイ切り溝３１ａを形成している。このワンウェイ切り溝３１ａはねじ込み方向には回転方向と垂直な壁面を有しているもの、反対方向には回転方向に沿って傾斜面となっている。このため、ドライバーで螺合しようとするときには、締結方向に回転すると垂直な壁面に回転力が伝わるものの、緩める方向に回転するときには同傾斜面に当接してドライバーを軸方向に押し戻してしまうことになり、必要な回転力を伝えられなくなっている。なお、図４に示すようなマイナスのワンウェイ切り溝３１ｂとしても良い。      【００１４】  ネジ３０の軸部３２は、周面に雄ネジが形成された雄ネジ部３２ａと、雄ネジ部３２ａよりも外形を僅かに狭めつつ内部をくりぬいた筒型壁部３２ｂとから構成されている。  図５は同筒型壁部３２ｂを開口端側から見た図であり、筒型壁部３２ｂは円筒状に形成されているとともに壁部の肉厚は一定としている。しかし、図６と図７に示すように壁部については奥側へ向かうほど肉厚が厚くなるように形成したり、図８と図９に示すように開口形状を六角形にしたりしてもよい。      【００１５】  図１０はインサートナット４０を断面図により示している。同インサートナット４０は、挿入端側にフランジ部４１を有するとともに、内周面に前記雄ネジ部３２ａと螺合可能な雌ネジを形成した雌ネジ部４２を有している。ここで、同フランジ部４１の長さは前記ナット保持部における第一開口部２１の奥行き方向長さに対応し、前記雌ネジ部４２の長さは前記第二開口部２２の奥行き方向長さに対応している。なお、雌ネジ部４２の内周面には雌ネジが軸方向にわたって全面に形成されているのではなく、前記フランジ部４１の側から所定距離分の雌ネジを形成した部位４２ａと、残りの一定距離部分の雌ネジを形成していない部位４２ｂとから構成されている。また、当該雌ネジ部４２の外周面には凹凸を形成して前記第二開口部２２内に嵌入したときに容易に抜け出ないようにしてある。      【００１６】  ナット保持部２０における最奥部の第三開口部２３には鋼球５０が収容されている。同第三開口部２３は当該鋼球５０を収容しつつ、僅かに奥行き方向に対して余裕がある程度の深さとなっている。  次に、前記構成からなる本実施形態の動作を説明する。まず、図１１に示すようにナット保持部２０の第三開口部２３内に鋼球５０を収容し、さらに、インサートナット４０を嵌入する。インサートナット４０は雌ネジ部４２の外周面に形成した凹凸によって第二開口部２２に対して嵌入されて容易には抜け出ない。また、フランジ部４１は第一開口部２１に入り込んでいる。従って、前記第一開口部２１と第二開口部２２は本発明のナット固定位置に該当する。      【００１７】  この後、蓋体を筺体本体に対して装着させると、突出片１０とナット保持部２０とが位置合わせされる。そして、ネジ３０をその筒型壁部３２ｂの側から突出片１０におけるネジ穴１１に挿入し、さらに雄ネジ部３２ａにてインサートナット４０における雌ネジ部４２内周面の雌ネジに螺合させる。このとき、プラスのドライバーの先端を前記ワンウェイ切り溝３１ａに入り込ませて回転させるが、締結方向に回転させることになるのでネジ３０は順調に螺合していく。      【００１８】  ネジ３０を回転させていくと、やがて筒型壁部３２ｂの先端がインサートナット４０を突き抜け、鋼球５０に当接する。さらにネジ３０を回転させると、筒型壁部３２ｂは同鋼球５０の球面表面に押し当てられることになり、やがて筒状の壁部が割かれて押し開かれる。この状態を図１３および図１４に示している。  図１４に示すように筒型壁部３２ｂが鋼球５０の球面表面に沿って押し開かれると、ネジ３０を緩めようとして逆回転させるときに押し開かれた壁部の先端側がインサートナット４０における開口端に突き当たるので、容易には逆回転させにくい。さらに、頭部３１の切り溝はワンウェイ切り溝３１ａとなっているので、力を掛けようとしてもドライバーは空回りしてしまい、ネジ３０を緩めることは実質的に不可能となる。      【００１９】  なお、壁部の押し開かれ方は、理想的には図１４に示すように鋼球５０の球面表面に沿って均等に押し開かれることであるが、図１５に示すように押し開かれ方がいびつになる場合でも効果は変わらない。  また、ナット保持部２０に対して裏側からヤスリなどで削ろうとするとき、樹脂製の壁部は削ることができても鋼球５０に突き当たってしまい、それ以上は削ることができなくなる。  なお、鋼球５０は本発明の略テーパー部位に該当するが、必ずしも球体である必要はなく、球体の一部であったり、図１６に示すように円錐形部材５１で構成することもできる。      【００２０】  筒型壁部３２ｂは本発明の被屈曲部位に該当するが、その周面には図１７と図１８に示すような切り欠き溝３２ｂ１を形成しても良い。この切り欠き溝３２ｂ１は開口端側から壁部の厚みを薄くするように形成されており、上述したように筒型壁部３２ｂが鋼球５０に対して押し当てられたときに応力が当該切り欠き溝３２ｂ１に集中することによって押し開かれやすくなる。すなわち、筒型壁部３２ｂが押し開かれる際の形状を一定とすることができ、解除するのに要する反転トルクを一定にして品質を向上させることになる。むろん、押し開く際に要するトルクも小さくなるので、作業性も向上する。      【００２１】  さらに、被屈曲部位としては必ずしも筒型としなければならないわけではなく、図１９と図２０に示すように被屈曲部位として非連続の凸部３２ｃを形成している。この例では三本の凸部３２ｃを形成してあり、鋼球５０や円錐形部材５１に突き当たったときに外側に屈曲され、ネジ３０を緩める際にインサートナット４０の開口端部に当接して邪魔になる。なお、三本の凸部３２ｃの長さを異にしておくと、鋼球５０に突き当たるタイミングが同時でなくなり、屈曲せしめるのに要するトル��が小さくなって作業がしやすくなる。また、筒型とするのに比べて単なる凸部であるので形成しやすい。      【００２２】  また、凸部を形成するのと同様に、図２１と図２２に示すようにして単に偏心位置にピン３２ｄを突出させるだけでも鋼球５０などの略テーパー部位に当接したときには外方に屈曲されるので、ネジ３０を緩める際の妨げとさせることができる。そして、形状が単純であるので形成しやすい。  なお、図２３はパチンコ機を背面図により示しており、本開口部位封止構造を適用した制御ボックスが背面側から視認できるように装着されている。      【００２３】  パチンコ遊技機６０の背面側には矩形箱形の制御ボックス７０が装着されている。ここで、同制御ボックス７０は長辺の一辺に形成した蝶番機構にて蓋体と筺体とが開閉可能になっており、両方の短辺には本開口部位封止構造が採用されている。すなわち、蓋体の突出片１０と筺体のナット保持部２０はそれぞれ蓋体と筺体の短辺にそれぞれ４対ずつ形成されており、封止可能となっている。むろん、必要に応じて開口させることもできる。図に示すように、パチンコ機６０の背面側から直に視認できる位置に配設されているため、メンテナンスのためにパチンコ機６０を開いたときには容易に視認できる。従って、制御ボックス７０内に手を加えるなどのために突出片１０やナット保持部２０を破損させれば、次のメンテナンス時にはすぐに見つかってしまう。      【００２４】  まず、図２４はスロットマシン（パチスロ）８０の背面を示している。同スロットマシン８０の背面側にも矩形箱形の制御ボックス９０が装着されている。ここで、同制御ボックス９０は図示しない蝶番機構にて蓋体と筺体とが開閉可能になっており、両方の短辺には本開口部位封止構造が採用されている。すなわち、蓋体の突出片１０と筺体のナット保持部２０はそれぞれ蓋体と筺体の短辺にそれぞれ４対ずつ形成されており、封止可能であるし、必要に応じて開口させることもできる。      【００２５】  同図に示すように、スロットマシン８０の背面側にも制御ボックス９０が装着され、メンテナンスのためにスロットマシン８０を開いたときには容易に開口部位封止構造を視認できる。従って、制御ボックス９０内に手を加えるなどのために突出片１０やナット保持部２０を破損させれば、次のメンテナンス時にはすぐに見つかってしまう。  図示していないが、パチロットにも同様に適用可能である。パチロットは、メダルの代わりにパチンコ遊技球を利用するものであり、例えば、パチンコ球の５個がメダル１個に相当して遊技を楽しむことができる。      【００２６】  このように、蓋体の一部となる突出片１０と、筺体本体の一部となるナット保持部２０とは、筺体本体に蓋体を装着したときに対面するように形成されており、ナット保持部２０に鋼球５０を収容しつつインサートナット４０を嵌入せしめた状態で、先端に被屈曲部位としての筒型壁部３２ｂを形成したネジ３０を螺合していくと、同筒型壁部３２ｂが鋼球５０に突き当てられて押し開かれるため、ネジ３０を緩めようとするときには大きなトルクを要するようになり、かつ、ネジ３０の頭部３１にはワンウェイ切り溝３１ａを形成しているので十分なトルクがかけられず、実質的にネジ３０を緩めることはできない。また、鋼球５０は樹脂製の壁部を容易に削られないようにし、不正を防止する効果もある。【図面の簡単な説明】    【図１】  本発明の一実施形態にかかる開口部位封止構造の概略断面図である。    【図２】  ネジの側面図である。    【図３】  ネジの平面図である。    【図４】  変形例にかかるネジの平面図である。    【図５】  ネジの底面図である。    【図６】  変形例にかかるネジの先端の断面図である。    【図７】  同変形例にかかるネジの先端の底面図である。    【図８】  他の変形例にかかるネジの先端の断面図である。    【図９】  同変形例にかかるネジの先端の底面図である。    【図１０】  ナットの断面図である。    【図１１】  ナット保持部の組付過程の概略断面図である。    【図１２】  突出片とナット保持部の組付過程の概略断面図である。    【図１３】  突出片とナット保持部の組付完了時の概略断面図である。    【図１４】  筒型壁部の変形状況を示す概略断面図である。    【図１５】  筒型壁部の他の変形状況を示す概略断面図である。    【図１６】  略テーパー部位の変形例を示す図である。    【図１７】  ネジにおける筒型壁部の変形例を示す側面図である。    【図１８】  ネジにおける筒型壁部の同変形例を示す底面図である。    【図１９】  ネジにおける被屈曲部位の変形例を示す側面図である。    【図２０】  ネジにおける被屈曲部位の同変形例を示す底面図である。    【図２１】  ネジにおける被屈曲部位の他の変形例を示す側面図である。    【図２２】  ネジにおける被屈曲部位の同変形例を示す底面図である。    【図２３】  本開口部位封止構造を適用した制御ボックスを使用するパチンコ機の背面図である。    【図２４】  本開口部位封止構造を適用した制御ボックスを使用するスロットマシンの背面図である。    【図２５】  従来の開口部位封止構造が適用される制御ボックスの外観を示す斜視図である。    【図２６】  従来の開口部位封止構造の概略断面図である。    【符号の説明】１０…突出片２０…ナット保持部３０…ネジ３１ａ，３１ｂ…ワンウェイ切り溝３２ａ…雄ネジ部３２ｂ…筒型壁部３２ｂ１…切り欠き溝３２ｃ…凸部３２ｄ…ピン４０…インサートナット４２…雌ネジ部５０…鋼球５１…円錐形部材６０…パチンコ機７０…制御ボックス８０…スロットマシン９０…制御ボックス